(57)【要約】      （修正有）【課題】癌細胞や歯の細菌感染部などの病巣部の治療に用いることができる加熱治療装置を提供する。【解決手段】加熱治療装置１００は、病巣部に対して金属レーキ溶液を注入するための注入部１と、注入された金属レーキ溶液を高周波電流により直接加熱するための加熱部４とを備え、加熱部４によって金属レーキ溶液を沸騰させ、病巣部（癌細胞や歯の細菌感染部など）を死滅させる。病巣部に注入された金属レーキ溶液を直接加熱して沸騰させるので、病巣部およびその近傍部を完全に加熱して病巣部を確実に死滅させることが可能となる。【選択図】図１
2014008101.tif 000002
【特許請求の範囲】
【請求項１】
加熱治療装置であって、
病巣部に対して金属レーキ溶液を注入するための注入部と、
注入された前記金属レーキ溶液を高周波電流により直接加熱するための加熱部とを備え、
前記加熱部によって前記金属レーキ溶液を沸騰させ、前記病巣部を死滅させることを特徴とする、加熱治療装置。
【請求項２】
前記金属レーキ溶液はアルミニウムレーキを含み、前記加熱部は電気メスを含む、請求項１に記載の加熱治療装置。
【請求項３】
沸騰後の前記金属レーキ溶液を回収するための吸引部と、
前記病巣部に冷却材を注入するための第２注入部と、
前記病巣部およびその近傍部を撮像するための撮像部と、
前記病巣部およびその近傍部の温度を検出する温度検出部と、をさらに備える請求項１または２に記載の加熱治療装置。
【請求項４】
前記病巣部は、癌細胞または歯の細菌感染部を含む、請求項１〜３のいずれか１記載の加熱治療装置。
【発明の詳細な説明】
【技術分野】
【０００１】
本発明は、加熱治療装置に関し、より具体的には、癌細胞や歯の細菌感染部などの病巣部の治療に用いることができる加熱治療装置に関する。
【背景技術】
【０００２】
癌細胞は約４２℃程度の温度で死滅することがわかっている。したがって、従来から癌細胞のある病巣部を選択的に加熱する治療が行われている。
【０００３】
特開平09-646号公報は、治療用誘導加熱装置を開示する。その治療用誘導加熱装置は、被検体内の特定ターゲットに特異的に反応する薬剤に磁性体を結合させた磁性体結合薬剤を被検体内に注入した状態で、この被検体に交流磁場を印加して被検体内の磁性体結合薬剤を加熱させる。
【０００４】
特開2004-290351号公報は、電磁誘導により発熱する材質から成る発熱体に癌細胞に対して選択的に結合するリガンドを付着させた発熱素子と、発熱素子が被加療体の癌細胞から成る患部に結合した状態で発熱素子に周波数５０Ｈｚ〜３  Ｈｚ、出力５０Ｗ〜１００ｋＷの電磁波を１秒以上２０分以下照射する誘導加熱手段とを備え、発熱素子を誘導加熱し細胞を加熱して破壊することを特徴とする治療装置を開示する。
【先行技術文献】
【特許文献】
【０００５】
【特許文献１】特開平09-646号公報
【特許文献２】特開2004-290351号公報
【発明の概要】
【発明が解決しようとする課題】
【０００６】
特許文献１、２に記載されるような治療装置では、被検体の外部から交流磁場や電磁波を印加して被検体内の磁性体結合薬剤や発熱素子を選択的に誘導加熱している。したがって、比較的大がかりな交流磁場や電磁波発生させるための装置が必要となる。
【０００７】
また、外部からの誘導加熱では、磁性体結合薬剤や発熱素子の分布状態に依存して加熱領域が定まるために、病巣部（患部）全体が十分に加熱されない可能性がある。逆に、局所的な病巣部の場合、その病巣部の周辺が必要以上に加熱されてしまう恐れがある。
【０００８】
本発明の目的は、上述した従来技術の問題を軽減、解消することであり、具体的には、癌細胞や歯の細菌感染部などの病巣部を直接的に加熱してその病巣部を死滅、破壊させて治癒させることである。
【課題を解決するための手段】
【０００９】
本発明は、加熱治療装置を提供する。その加熱治療装置は、病巣部に対して金属レーキ溶液を注入するための注入部と、注入された金属レーキ溶液を高周波電流により直接加熱するための加熱部とを備え、加熱部によって金属レーキ溶液を沸騰させ、病巣部（癌細胞や歯の細菌感染部など）を死滅させることを特徴とする。
【００１０】
本発明によれば、病巣部に注入された金属レーキ溶液を直接加熱して沸騰させるので、病巣部およびその近傍部を完全に加熱して病巣部を確実に死滅させることが可能となる。
【００１１】
本発明の一態様では、金属レーキ溶液はアルミニウムレーキを含み、加熱部は電気メスを含む。
【００１２】
本発明の一態様によれば、食用色素として利用されるアルミニウムレーキを用いて病巣部を加熱するので、人体への悪影響が無い。また、加熱部として微細な先端部を有する電気メスを用いることにより、微小な病巣部に向けて注入された微量なアルミニウムレーキであっても確実に加熱することができる。
【００１３】
本発明の一態様では、加熱治療装置は、沸騰後の金属レーキ溶液を回収するための吸引部と、病巣部に冷却材を注入するための第２注入部と、病巣部およびその近傍部を撮像するための撮像部と、病巣部およびその近傍部の温度を検出する温度検出部と、をさらに備える。
【００１４】
本発明の一態様によれば、病巣治療後の金属レーキ溶液を回収し、その病巣部近傍を冷却することにより、人体への加熱による悪影響を最小限に抑えることが可能となる。また、病巣部の画像および温度をモニターしながら、金属レーキ溶液の注入量、加熱部への高周波電流の電流量及び印加時間などを病巣部の状態に応じて適切に制御することが可能となる。
【図面の簡単な説明】
【００１５】
【図１】本発明の加熱治療装置の構成を示す機能ブロック図である。
【図２】本発明の加熱治療装置の先端部の一実施形態を示す図である。
【図３】本発明の加熱治療装置の一適用例を示す図である。
【図４】本発明の加熱治療装置の一適用例を示す図である。
【図５】本発明の加熱治療装置の動作を示すフロー図である。
【発明を実施するための形態】
【００１６】
図面を参照しながら本発明の実施の形態を説明する。図１は、本発明の加熱治療装置１００の構成を示す機能ブロック図である。図１の加熱治療装置１００は、先端部１０と本体部２０とから構成される。先端部１０と本体部２０は、後述するように、配線ケーブル、配管等を内包するフレキシブルな接続部３８（図２）により接続される。
【００１７】
先端部１０は、病巣部に対して金属レーキ溶液を注入するための溶液注入部１と、注入された金属レーキ溶液を高周波電流により直接加熱するための加熱部４と、沸騰後の金属レーキ溶液を回収するための吸引部３と、病巣部に冷却材を注入するための冷却材注入部（第２注入部）２と、病巣部およびその近傍部を撮像するための撮像部５と、病巣部およびその近傍部の温度を検出する温度検出部６とを含む。溶液注入部１と冷却材注入部２は、１つの注入部として併用するようにしてもよい。吸引部３は、注入後の冷却材を吸引して回収することもできる。
【００１８】
溶液注入部１は、本体部２０内の溶液タンクと注入ポンブ１１に配管を介して接続される。溶液タンクには、金属レーキ溶液が充填されている。金属レーキとしては、例えばアルミニウムレーキが含まれる。アルミニウムレーキは、アルミニウムとのキレート（キレート化合物ともいう、多座配位子の配位した錯化合物）で、色素と混合し食用色素として着色等に使われている。食用のアルミニウムレーキには、食用赤色２号（別名アマランス）のアルミニウムレーキ（別名アマランスアルミニウムレーキ）、食用赤色３号（別名エリスロシン）のアルミニウムレーキ（別名エリスロシンアルミニウムレーキ）、食用赤色４０号（別名アルラレッドＡＣ）のアルミニウムレーキ（別名アルラレッドＡＣアルミニウムレーキ）等がある。これらのアルミニウムレーキを用いることにより、人体への悪い影響を回避することができる。溶液タンク内の金属レーキ溶液は、注入ポンプにより必要となる所定量が注入される。
【００１９】
加熱部４は、本体部２０内の高周波電流源１４に配線ケーブルを介して接続される。加熱部４は、例えば電気メスと同様な形態（構成）を有する。電気メスは、正確には高周波電気メスとも呼ばれ、先端のメス部に数ＭＨｚの高周波電流を流して、そのメス部を高温状態にする。高周波電流を用いるのは、周波数が高くなるほど人体への電気刺激が少なくなるからである。本発明においては、加熱部４の温度は、高周波電流源１４からの高周波電流の大きさおよびその通電時間に応じて制御される。
【００２０】
吸引部３は、本体部２０内の回収タンクおよび吸引ポンプ１３に配管を介して接続される。吸引ポンプの駆動により、吸引部３から沸騰（加熱）後の金属レーキ溶液を回収タンクに回収する。冷却材注入部２は、本体部２０内の冷却材タンクと注入ポンブ１２に配管を介して接続される。冷却材タンクには、適温に冷やされた水、生理食塩水などの液体、あるいは空気、窒素、アルゴンなどの気体が内蔵される。注入ポンブ１２の駆動により、冷却材注入部２から冷却材が加熱後の病巣部に注入され、病巣部周辺が瞬時に冷却される。使用した冷却材（液体）は、必要に応じて吸引部３から吸引されて回収タンクに回収される。
【００２１】
撮像部５は、本体部２０内の画像処理部１５に配線を介して接続される。画像処理部１５は、演算処理部（ＣＰＵ）やメモリを含む一種のコンピュータである。撮像部５は、例えば内視鏡と呼ばれる超小型のカメラ（ファイバースコープと超小型撮像素子（ＣＣＤ）の組み合わせ）からなる。撮像部５は、病巣部を撮像してその画像情報を画像処理部１５に送る。画像処理部１５は、送られてきた画像情報を処理して画像表示部１６で表示させる。
【００２２】
温度検出部６は、本体部２０内の温度処理部１５に配線を介して接続される。温度検出部６は、例えば熱電対からなる。温度検出部６は、病巣部およびその近傍の温度を検出し、その検出信号を温度処理部１５に送る。温度処理部１５は、検出信号から温度を算出し、画像表示部１６にその温度を表示させる。先端部１０の操作者（治療者）は、画像表示部１６の画像から病巣部の状態および温度を観察することができる。
【００２３】
図２は、本発明の加熱治療装置１００の先端部１０の一実施形態を示す図である。図２（ａ）において、先端部１０は、先細り筒状の円筒３０と、本体２０との接続部３８との接合をおこなうためのフランジ部３４を備える。フランジ部３４は、フレキシブルな接続部３８のフランジ部３６と接合される。円筒３０の先端には開口が設けられ、符号３２の破線でイメージされるように、図１で示した溶液注入部１等が突出できるようになっている。円筒３０の内径と長さは、治療する対象の位置や大きさに応じて選択され、円筒３０は対象毎に交換可能である。
【００２４】
図２（ｂ）は、先頭部３２のＡ−Ａ断面をその上部から見た図である。先頭部３２の中には、図１で説明した溶液注入部１、冷却材注入部２、吸引部３、加熱部４、撮像部５、および温度検出部６が内包される。１から６の各部は、先頭部３２の中で上下に移動することができ、使用する時に突出し、使用されない場合は引き込まれる。その飛び出し量（長さ）は、円筒３０に設けられた調整ボタン（図示なし）や、本体部２０に通じる接続部３８から分岐したリモートコントローラ（図示なし）などを用いて調整することができる。なお、先頭部３２の破線は実際には円筒があるのではなく、１〜６の各部が円筒３０の開口から出入り（上下）する領域（断面）をイメージさせるために描かれた破線である。
【００２５】
図３と図４を参照しながら、本発明の加熱治療装置の適用例について説明する。図３は、癌治療への適用例を示す図である。図２で説明した先端部１０の円筒３０が、癌細胞のある病巣部４０まで挿入される。先頭部３２において、符号３２０で示されるように、順番に使用される溶液注入部１等が突出して以下の各動作をおこなう。先頭部３２の溶液注入部１から病巣部４０に向けてアルミニウムレーキ溶液が注入される（符号４２）。アルミニウムレーキ溶液の注入量は、撮像部５による画像を見ながら病巣部４０の大きさに応じて調整される。先頭部３２の加熱部（電気メス）４により、アルミニウムレーキ溶液４２が沸点（例えば１５０℃）程度に直接加熱される。アルミニウムレーキ溶液４２は瞬時に沸騰し、その熱が図の矢印４３で示すように周辺部に拡散（伝導）していく。その後数分以内に病巣部４０を含む熱拡散領域４５内が、癌細胞を死滅させることができる約４２℃以上の温度となる。病巣部４０を含む領域の温度は、温度検出部６による検出温度により確認する。
【００２６】
撮像部５による画像および検出温度により、病巣部４０の癌細胞が死滅したことを確認した後、吸引ポンプの駆動により、吸引部３から沸騰（加熱）後のアルミニウムレーキを回収タンクに回収する。注入ポンブ１２の駆動により、冷却材注入部２から冷却材が加熱後の病巣部４０に注入され、病巣部４０の周辺が瞬時に冷却される。使用した冷却材（液体）は、必要に応じて吸引部３から吸引されて回収タンクに回収される。本発明の癌治療への適用例によれば、熱拡散により病巣部４０の癌細胞のみならずリンパ節や隣接する神経繊維も同時に加熱することができるので、癌細胞の転移をも阻止することが可能となる。
【００２７】
図４は、歯の根幹治療への適用例を示す図である。図４では、先端部１０の円筒３０が、歯の象牙質５０の間の根管拡大された根管５２中に挿入される。円筒３０の先頭部３２は、根幹治療用に細長く設定される。すなわち、溶液注入部１等が円筒３０の開口から長く伸びるように調整される。先頭部３２の溶液注入部１から根管５２の底部の病巣部５４に向けてアルミニウムレーキ溶液が注入される（符号５６）。先頭部３２の加熱部（電気メス）４により、アルミニウムレーキ溶液５６が沸点（例えば１５０℃）程度に直接加熱される。アルミニウムレーキ溶液５６は瞬時に沸騰し、その熱が図の矢印５８で示すように周辺部に拡散（伝導）していく。病巣部５４の細菌等はその熱で死滅、破壊される。その後、図３の癌治療の例と同様な手順で、アルミニウムレーキ溶液の回収、病巣部の冷却がおこなわれる。本発明の歯の根幹治療への適用例によれば、根幹底部の病巣部を熱拡散により確実に加熱して治療（破壊）することが可能となる。具体的には、根尖部は、樹根の様に多岐に分岐しているので、抜髄しても（神経を抜いても）完全に除去できずに放置されて痛みが残ってしまうが、本発明による加熱により完全に死滅させることができる。
【００２８】
図５は、加熱治療装置の動作を示すフロー図である。なお、図の各ステップの詳細は既に上述した通りである。ステップＳ１において、溶液注入部１からアルミニウムレーキ溶液等の金属レーキ溶液が病巣部に注入される。ステップＳ２において、注入された金属レーキ溶液が加熱部４により加熱され、沸騰される。その後、ステップＳ３おいて、加熱後の金属レーキ溶液が吸引部３により回収される。ステップＳ４おいて、金属レーキ溶液が回収された後の病巣部に冷却材注入部２から冷却材が注入され、必要に応じてその冷却材が回収される。
【００２９】
本発明の実施形態について、図を参照しながら説明をした。しかし、本発明はこれらの実施形態に限られるものではない。本発明はその趣旨を逸脱しない範囲で当業者の知識に基づき種々なる改良、修正、変形を加えた態様で実施できるものである。
【符号の説明】
【００３０】
１０  先端部
２０  本体部
３０  円筒
３２  先頭部
３８  接続部
４０、５４  病巣部
４２、５６  金属レーキ溶液
１００  加熱治療装置
３２０  突出部（溶液注入部など）
【図１】
2014008101.tif 000003
【図２】
2014008101.tif 000004
【図３】
2014008101.tif 000005
【図４】
2014008101.tif 000006
【図５】
2014008101.tif 000007